(57)【要約】【課題】竪樋などの管状物上へのカバー本体の装着が容易であり、殊更、高精度の製作が要求されることがない建造物用の化粧カバーを提供する。【解決手段】化粧カバー１は、建造物の外壁面ａ沿いに配設された竪樋１０に外付けされる取付補助具２と、竪樋１０上を覆う状態で取付補助具２により支持されるカバー本体３とから成る。取付補助具２は竪樋１０の外周面に嵌合可能なフレーム４を有し、フレーム４の前部に板ばね５が取り付けられるとともに、フレーム４の両側部に噛み合い部２０が形成されている。カバー本体３は、取付補助具２の板ばね５に対応する位置に、板ばね５を弾性変形させて前方向の復元力を生じさせる当たり面３６が、取付補助具２の噛み合い部２０に対応する位置に、取付補助具２の噛み合い部２０に噛み込む噛み合い部３０が、それぞれ全長にわたって形成されている。【選択図】図２
2006207228.tif 000002
【特許請求の範囲】
【請求項１】
建造物の外壁面沿いに配設された竪樋などの管状物上に被せられる建造物用の化粧カバーであって、前記管状物の少なくとも２カ所にそれぞれ取り付けられる取付補助具と、管状物上を覆う状態で前記取付補助具により支持される後面が開放されたカバー本体とから成り、前記取付補助具は、管状物の外周面に嵌合可能なフレームを有し、フレームの前部に弾性体が前後方向への弾性変形が可能な状態で取り付けられるとともに、フレームの両側部に噛み合い部がそれぞれ形成されており、前記カバー本体は、前部の内面の前記取付補助具の弾性体に対応する位置に、弾性体を弾性変形させて復元力を生じさせる当たり面が、両側部の内面の前記取付補助具の噛み合い部に対応する位置に、前記弾性体の復元力を受けたときに前記取付補助具の噛み合い部に噛み込む噛み合い部が、それぞれ全長にわたって形成されて成る建造物用の化粧カバー。
【請求項２】
前記取付補助具は、フレームの両側部の左右対称位置に板状部がそれぞれ後方へ突設されて成り、各板状部の外面に前記噛み合い部がそれぞれ形成されている請求項１に記載された建造物用の化粧カバー。
【請求項３】
前記取付補助具およびカバー本体の各噛み合い部は、カバー本体が取付補助具の弾性体の復元力を受けたときに互いに噛み込むような複数の鋸歯状歯により形成されている請求項１または２に記載された建造物用の化粧カバー。
【請求項４】
前記取付補助具は、管状物の半周面に沿う一対の枠片より成るフレームと、管状物の外周面に各枠片を嵌合した状態に保持する保持金具とで構成されており、前記フレームの各枠片は、一端部に互いに係脱可能な係合部、他端部に互いに突き合わせ可能な突き合わせ部を備え、前記保持金具は、各枠片の突き合わせ部が突き合わされた状態で挟持するクリップと、前記クリップを前記管状部を外壁面に固定している固定金具に固定するねじとを備えて成る請求項１〜３のいずれかに記載された建造物用の化粧カバー。
【発明の詳細な説明】
【技術分野】
【０００１】
この発明は、建造物の外壁面沿いに配設された竪樋や配管のような管状物上に被せて前記管状物が外部から見えないようにする建造物用の化粧カバーに関する。
【背景技術】
【０００２】
従来、建造物の屋根部には軒樋が配設され、その軒樋に竪樋の上端部を接続している。竪樋は建造物の外壁面に沿って垂下させ、竪樋の下端部を地中の排水管に接続している。なお、竪樋は適所が固定金具によって建造物の外壁面に固定される。建造物によっては外壁部に竪樋のみならず種々の配管なども配設されているが、これらの管状物によって建造物の美観が損なわれ、見栄えを著しく低下させている。
【０００３】
上記した問題を解決するのに、竪樋を竪樋カバーで覆って外部から見えないようにすることが提案されている（例えば、特許文献１参照）。この竪樋カバーは、竪樋の外周に周設される枠状アダプターと、枠状アダプターに取り付けられて竪樋の周囲を覆うカバー本体とから成るものである。前記カバー本体の内面には長手方向に沿って係合突起が突出し、その係合突起に対応して枠状アダプターの外面に係合突起が嵌入される凹溝が設けられている。カバー本体は係合突起を枠状アダプターの凹溝に嵌入させることにより取り付けられる。
【０００４】
【特許文献１】特開２００４−１６２４３１号公報
【発明の開示】
【発明が解決しようとする課題】
【０００５】
しかしながら、上記した構成の竪樋カバーは、枠状アダプターにカバー本体を取り付ける場合、枠状アダプターの凹溝とカバー本体の突起とを位置合わせする必要があるため、カバー本体の装着が容易でなく、手数がかかるという問題がある。また、枠状アダプターの凹溝にカバー本体の突起を係合させる構造であるため、凹溝および突起の大きさや位置などを精度良く製作する必要がある。加えて、枠状アダプターを竪樋の外周面にしっかりと固定するために、枠状アダプターの内径などの寸法精度を高める必要もあり、コスト高の要因となる。
【０００６】
この発明は、上記した問題に着目してなされたもので、竪樋などの管状物上へのカバー本体の装着が容易であり、殊更、高精度の製作が要求されることがない建造物用の化粧カバーを提供することを目的とする。
【課題を解決するための手段】
【０００７】
この発明による建造物用の化粧カバーは、建造物の外壁面沿いに配設された竪樋などの管状物上に被せられるものであって、前記管状物の少なくとも２カ所にそれぞれ取り付けられる取付補助具と、管状物上を覆う状態で前記取付補助具により支持される後面が開放されたカバー本体とから成る。前記取付補助具は、管状物の外周面に嵌合可能なフレームを有し、フレームの前部に弾性体が前後方向への弾性変形が可能な状態で取り付けられるとともに、フレームの両側部に噛み合い部がそれぞれ形成されている。前記カバー本体は、前部の内面の前記取付補助具の弾性体に対応する位置に、弾性体を弾性変形させて復元力を生じさせる当たり面が、両側部の内面の前記取付補助具の噛み合い部に対応する位置に、前記弾性体の復元力を受けたときに前記取付補助具の噛み合い部に噛み込む噛み合い部が、それぞれ全長にわたって形成されている。
【０００８】
この発明の上記した構成において、「管状物」は雨水を排水するための竪樋に限らず、液体やガスなどの気体を移送したり電気配線用のコード線を通したりする配管であってもよい。「取付補助具」は、望ましくは管状物を外壁面に固定する固定金具の位置に配置して固定金具に固定するようにする。「カバー本体」は、必ずしも管状物の全長にわたる長さのものである必要はなく、管状物より短い長さであってもよい。後者の場合は、複数のカバー本体を繋ぎ合わせて用いる。
取付補助具に取り付けられる「弾性体」は、板ばねやスプリングばねの他、ゴムのような弾性材料を用いたものであってもよい。
【０００９】
この発明による建造物用の化粧カバーを建造物の外壁面沿いに配設された竪樋などの管状物上に装着するには、まず、管状物の少なくとも２カ所に取付補助具をフレームが管状物の外周面に嵌合するようにしてそれぞれ外付けする。次いで、カバー本体を取付補助具に嵌め込むと、取付補助具の噛み合い部とカバー本体の噛み合い部とが噛み合うとともに、カバー本体の当たり面に取付補助具の弾性体が当たって弾性変形する。この弾性体の弾性変形による復元力がカバー本体に作用すると、取付補助具の噛み合い部にカバー本体の噛み合い部が噛み込むので、カバー本体は管状物を覆う状態で取付補助具により支持固定される。
【００１０】
この発明の好ましい実施態様においては、前記取付補助具は、フレームの両側部の左右対称位置に板状部がそれぞれ後方へ突設されて成るもので、各板状部の外面に前記噛み合い部がそれぞれ形成されている。この実施態様によれば、取付補助具の噛み合い部を容易かつ十分な長さに製作することが可能である。
【００１１】
また、この発明の好ましい実施態様においては、取付補助具の噛み合い部とカバー本体の噛み合い部との噛み込みを強固にするために、前記取付補助具およびカバー本体の各噛み合い部は、カバー本体が取付補助具の弾性体の復元力を受けたときに互いに噛み込むような複数の鋸歯状歯により形成されている。
【００１２】
前記取付補助具には種々の態様が考えられるが、そのひとつの態様は、管状物の半周面に沿う一対の枠片より成るフレームと、管状物の外周面に各枠片を嵌合した状態に保持する保持金具とで取付補助具が構成されている。この場合に、好ましい実施態様においては、前記フレームの各枠片は、一端部に互いに係脱可能な係合部、他端部に互いに突き合わせ可能な突き合わせ部を備え、一方、前記保持金具は、各枠片の突き合わせ部が突き合わされた状態で挟持するクリップと、前記クリップを前記管状部を外壁面に固定している固定金具に固定するねじとを備えたものとする。この実施態様によると、取付補助具の取付が容易であり、管状物にしっかりと固定できる。
【発明の効果】
【００１３】
この発明によれば、竪樋などの管状物上への化粧カバーの装着が容易であり、殊更高精度の製作が要求されることもなく、化粧カバーを安価に提供できる。
【発明を実施するための最良の形態】
【００１４】
図１および図２は、この発明の一実施例である化粧カバー１を竪樋１０上に装着した状態を示している。なお、この発明の化粧カバー１は竪樋１０に限らず、種々の配管上に装着することが可能である。また、図示例の竪樋１０は断面形状が円形のものであるが、この発明の化粧カバー１は、断面形状が矩形状など、いかなる形態の竪樋にも適用できる。
前記竪樋１０は、図３に示すように、建造物の外壁面ａに沿って複数の固定金具１１により適所で固定されている。前記固定金具１１は、竪樋１０の外周面を保持するリング形状の保持部１２とこの保持部１２と一体の腕部１３とを備えている。前記腕部１３の基端部は建造物の外壁面ａに埋設され、これにより固定金具１１が外壁面ａ上に取り付けられる。
【００１５】
図示例の化粧カバー１は、竪樋１０の複数箇所にそれぞれ外付けされる取付補助具２と、竪樋１０上を覆う状態で各取付補助具２により支持されるカバー本体３とから成る。各取付補助具２は、竪樋１０の固定金具１１が設けられた位置の真上に取り付けられており、竪樋１０の外周面に嵌合可能な円筒状のフレーム４を備えている。このフレーム４の両側部の左右対称位置には板状部４０，４０がそれぞれ後方へ一体に突設されている。
【００１６】
前記フレーム４は、竪樋１０の半周面に沿う一対の枠片４１，４２より成る。各枠片４１，４２の一端部には互いに係脱可能な係合部４３，４４が、また、他端部には互いに突き合わせることが可能な平板状の突き合わせ部４５，４６が、それぞれ形成されている。一方の枠片４１の係合部４３は、図４に示すように、丸軸体であり、他方の枠片４２の係合部４４は前記丸軸体の挿脱が可能な軸受孔である。図４および図５において矢印で示すように、各係合部４３，４４は上下にずらせた状態からスライドさせて係合されるもので、この係合によって他端の突き合わせ部４５，４６は突き合わされた状態となる。
この実施例では、枠片４１，４２の係合部４３，４４を係合したとき、枠片４１，４２は閉じた状態で結合されるが、係合部４３，４４をこれを支点として枠片４１，４２が開閉可能な構成とすることも可能である。なお、図２において、７は係合部４３，４４が抜けないようにするための抜止め用のねじである。
【００１７】
各枠片４１，４２の突き合わせ部４５，４６には、基端部と先端部とに突壁４７，４８が一体形成されている。この突壁４７，４８間の突き合わせ部４５，４６上にクリップ６が嵌め込まれ、これにより枠片４１，４２が閉じられた状態に保持される。
【００１８】
前記の各板状部４０の外面には、図７に示すように、複数の鋸歯状歯２１より成る噛み合い部２０が形成されている。この噛み合い部２０にカバー本体３の噛み合い部３０を噛み込ませてカバー本体３を固定する。なお、各噛み合い部２０，３０の構成は後で詳述する。
【００１９】
前記フレーム４の前部には、前記係合部４３，４４を挟む両側位置にばね支持面４９，４９がそれぞれ形成されている。各ばね支持面４９にはそれぞれ板ばね５が前後方向への弾性変形が可能なようにその基端部がねじ止めされている。各板ばね５は、その先端部に屈曲部５０を備え（図１および図５参照）、この屈曲部５０が前方へ突き出ている。
【００２０】
前記フレーム４は、各枠片４１，４２の突き合わせ部４５，４６が保持金具８によって突き合わさった状態、すなわち、枠片４１，４２が閉じた状態に保持される。前記保持金具８は、図６に示すように、クリップ６とねじ６０とを含んでいる。前記クリップ６は、所定の間隔だけ隔てて対向する一対の挟持片６１，６１を備えたものであり、各挟持片６１は、クリップ６が突き合わせ部４５，４６に嵌め込まれたとき、竪樋１０の固定金具１１の下方まで達する長さに設定されている。各挟持片６１は先端部の間隔が広げられており、その先端部にねじ孔６２がそれぞれ形成されている。クリップ６の各挟持片６１，６１により突き合わせ状態の突き合わせ部４５，４６を挟持し、かつ各ねじ孔６２にねじ６０をねじ込んでその先端を固定金具１１の腕部１３に両側より当接させることにより、取付補助具２を竪樋１０上の固定金具１１の真上位置に固定する。
【００２１】
前記カバー本体３は、竪樋１０を長さ方向に沿って覆うために、竪樋１０の前面を覆う前面部３１と竪樋の左右両側面を覆う側面部３２，３２とを一連に備えている。各側面部３２は先端縁にかけて湾曲し、カバー本体３の後面側は開放されている。前記前面部３１の内面には、前記取付補助具２の各板ばね５，５に対応する位置に、板ばね５，５に突き当たったときに板ばね５，５を弾性変形させて復元力を生じさせる当たり面３６，３６が、また、各側面部３２の先端部内面には、前記取付補助具２の噛み合い部２０と噛み合う噛み合い部３０が、それぞれ全長にわたって形成されている。
【００２２】
この噛み合い部３０は、図７に示すように、複数の鋸歯状歯３３より成る。この鋸歯状歯３３と取付補助具２の噛み合い部２０における鋸歯状歯２１とは、カバー本体３が前記板ばね５の復元力Ｐを受けたときに互いに噛み込むように、それぞれの歯形が設定されている。すなわち、各鋸歯状歯３３，２１は、カバー本体３に板ばね５の復元力Ｐが作用したとき、鋸歯状歯３３の垂直面３４が鋸歯状歯２１の垂直面２２に噛み込むことによりカバー本体３の移動が阻止されるようになっている。また、カバー本体３を押し込む方向の力Ｑが作用したときは、鋸歯状歯３３の傾斜面３５が鋸歯状歯２１の傾斜面２３をスライドして鋸歯状歯２１を乗り越えることによりカバー本体３の移動が許容されるようになっている。
【００２３】
上記した構成の化粧カバー１を建造物の外壁面ａ沿いに配設された竪樋１０上に装着するには、まず、竪樋１０の少なくとも２カ所に取付補助具２をフレーム４が竪樋１０の外周面に嵌合するようにしてそれぞれ取り付ける。
次いで、カバー本体３の両側面部３２，３２を取付補助具２のフレーム４の両側に嵌め込むようにして建造物の外壁面ａに向けて押し込む（図８（１）参照）。これによりカバー本体３の両側面部３２，３２に形成された噛み合い部３０，３０が取付補助具２の板状部４０，４０に形成された噛み合い部２０，２０に噛み合うが、カバー本体３は前進が許容される（図８（２）参照）。
【００２４】
カバー本体３の当たり面３６，３６が取付補助具２の板ばね５，５に突き当たった時点でカバー本体３を押し込むのを止める。このとき、板ばね５，５は弾性変形しているので、この弾性変形による各板ばね５の復元力がカバー本体３に作用する（図８（３）参照）。その結果、取付補助具２の噛み合い部２０にカバー本体３の噛み合い部３０が噛み込み、カバー本体３０は竪樋１０を覆う状態で取付補助具２により固定される。
【図面の簡単な説明】
【００２５】
【図１】この発明の一実施例である化粧カバーが竪樋上に装着された状態を示す一部を破断した側面図である。
【図２】図１のＡ−Ａ線に沿う断面図である。
【図３】図１のＢ−Ｂ線に沿う断面図である。
【図４】取付補助具のフレームの構成を示す平面図である。
【図５】取付補助具のフレームの構成を示す側面図である。
【図６】取付補助具のクリップの取付状態を示す背面図である。
【図７】カバー本体の噛み合い部と取付補助具の噛み合い部とが噛み合った状態を示す断面図である。
【図８】化粧カバーの装着手順を示す平面図である。
【符号の説明】
【００２６】
１    化粧カバー
２    取付補助具
３    カバー本体
４    フレーム
５    板ばね
６    クリップ
８    保持金具
２０  噛み合い部
２１  鋸歯状歯
３０  噛み合い部
３３  鋸歯状歯
３６  当たり面
４０  板状部
４１，４２  枠片
４３，４４  係合部
４５，４６  突き合わせ部
６０  ねじ
【図１】
2006207228.tif 000003
【図２】
2006207228.tif 000004
【図３】
2006207228.tif 000005
【図４】
2006207228.tif 000006
【図５】
2006207228.tif 000007
【図６】
2006207228.tif 000008
【図７】
2006207228.tif 000009
【図８】
2006207228.tif 000010